(57)【要約】  【課題】  針金等の挿入による不正な設定変更を防止し、かつ、設定変更部を取り外すことなく、主基板の交換等の基板ケース内作業を行うことができるような基板ケースを提供する。  【解決手段】  遊技機に内蔵され、遊技機の制御等の処理を行うための基板5を少なくとも収納する基板ケース1であって、基板ケース1は、遊技機に固定される基板ベース部2と、基板ベース部2を覆うように基板ベース部2に固定される基板ケースカバー部3とを備え、基板ベース部2は遊技における各種当選役の抽選確率を変更する設定変更部7を備え、基板ケースカバー部3は、設定変更部7を手前から操作可能な連通部32と、連通部32を開塞自在な連通部カバー部31とを備える。【選択図】図１
2006095049.tif 000002
【特許請求の範囲】
【請求項１】
遊技機に内蔵され、遊技機の制御や遊技内容に関する処理を行うための基板を少なくとも収納する基板ケースであって、
この基板ケースは、遊技機に固定される基板ベース部と、
前記基板ベース部を覆うように、当該基板ベース部に固定される基板ケースカバー部とを備え、
前記基板ベース部は、遊技における各種当選役の抽選確率を変更する設定変更部を備え、
前記基板ケースカバー部は、前記設定変更部を手前から操作可能な連通部と、
前記連通部を開閉自在な連通部カバー部とを備えたことを特徴とする基板ケース。
【請求項２】
前記基板ケースには、前記連通部カバー部により塞がれるとともに、前記基板と前記設定変更部とを電気的に接続する接続媒体が設けられたことを特徴とする請求項１記載の基板ケース。
【発明の詳細な説明】
【技術分野】
【０００１】
本発明は、基板ケースに関し、さらに詳しくは、主基板のみならず、設定変更部も内部に収納する基板ケースに関する。
【背景技術】
【０００２】
スロットマシンやパチンコ機等の遊技機には、遊技機内の各装置の動作や遊技内容を制御するための基板、いわゆる主基板が備えられている。そして、当該基板が不正に交換されることを防止すべく、基板ケースに当該基板を収納し、この基板ケースを封印シール等により封印する。
また、これらの遊技機のうち、スロットマシンには、遊技における各種当選役の抽選確率を変更するための設定変更基板を備えた設定変更部が設けられているのが一般的である。従来、この設定変更部は、主基板とは別の装置として、基板ケースと異なる箇所に備えられていた。たとえば、下記の特許文献１に開示されているスロットマシンでは、設定変更部はスロットマシン内部の空間を上下２つの空間に仕切る中板の下面に備えられており、基板ケースは、中板上方の空間の奥方向に備えられている。
【０００３】
また、設定変更部は、上述の通り、遊技における各種当選役の抽選確率を変更するため設定変更基板を備えた装置であり、これが不正に操作されると、抽選確率が不正に変更されてしまうため、この設定変更部が不正に操作されないようにすべく、前記主基板を収納する基板ケースに設定変更部を収納することも考えられている。
【特許文献１】特開２００３−４７６８４号公報
【発明の開示】
【発明が解決しようとする課題】
【０００４】
特許文献１に開示されているスロットマシンの設定変更部は、上述の通り、中板の下面に備えられているが、この設定変更部は、スロットマシンの正面で開閉される扉を間に挟んでいるものの、遊技者と非常に近い位置に備えられている。したがって、扉が閉まっている際にも、この扉とスロットマシンとの間の隙間から針金等を挿入して設定変更部を操作することが容易であり、不正な設定変更が行われやすいという問題が生じていた。
また、基板ケース内に設定変更部を収納するような場合には、遊技者との距離が近いことに起因する不正な設定変更を防止することが可能である。しかし、設定変更部がこの基板ケース内に収納されている際にも、設定変更部を操作可能とすべく、基板ケースには、設定変更部に設けられた設定変更用の鍵穴やボタン等の設定変更操作部を、この基板ケースの外に露呈させる連通部が設けられているため、これらの設定変更操作部と連通部との間の隙間から針金等を挿入して設定変更部を操作し、不正な設定変更が行われるというおそれが生じていた。
【０００５】
さらに、上述の場合、主基板と設定変更部はハーネス等の接続媒体により電気的に接続されているが、前記連通部から、このハーネスに対して不正な電気的接触や違法な細工等をすることにより、不正な設定変更が行われるというおそれも生じていた。
また、基板ケース内に設定変更部を収納する際は、設定変更部の設置方法によって、基板ケースの着脱とともに設定変更部まで取り外さなければならないような場合もあり、また、主基板を交換する際にも、主基板とともに設定変更部も取り外して作業をしなければならないような場合もあり、作業が非効率であるという問題が生じていた。
したがって、上記のような事情により、不正に設定変更されることを防止し、かつ、効率的にメンテナンスや主基板の交換等の作業を行うことができる基板ケースの提供が望まれている。
【０００６】
そこで、各請求項に記載された発明は、上記した従来の技術の有する問題点に鑑みてなされたものであり、その目的とするところは、以下の点にある。
（請求項１）
すなわち、請求項１記載の発明は、上記事情に鑑みてなされたものであり、針金等の挿入による不正な設定変更を防止し、かつ、設定変更部を取り外すことなく、主基板の交換等の基板ケース内作業を行うことができるような基板ケースを提供することを目的とする。
（請求項２）
請求項２記載の発明は、上記した請求項１記載の発明の目的に加え、ハーネス等の接続媒体に対して電気的な接触を行うことで不正に設定変更がされることを防止できるような基板ケースを提供することを目的とする。
【課題を解決するための手段】
【０００７】
請求項に記載された発明は、上記した各目的を達成するためになされたものであり、各発明の特徴点を図面に示した発明の実施の形態を用いて、以下に説明する。
なお、符号は、発明の実施の形態において用いた符号を示し、本発明の技術的範囲を限定するものではない。
（請求項１）
請求項１記載の発明は、遊技機に内蔵され、遊技機の制御や遊技内容に関する処理を行うための基板5を少なくとも収納する基板ケース1であって、この基板ケース1は、遊技機に固定される基板ベース部2と、前記基板ベース部2を覆うように、当該基板ベース部2に固定される基板ケースカバー部3とを備え、前記基板ベース部2は、遊技における各種当選役の抽選確率を変更する設定変更部7を備え、前記基板ケースカバー部3は、前記設定変更部7を手前から操作可能な連通部32と、前記連通部32を開閉自在な連通部カバー部31とを備えたことを特徴とする。
ここで、遊技機の種類としては、特に限定されるものではなく、パチンコ機、スロットマシン、パロットなどが挙げられる。
【０００８】
基板5としては、たとえば、遊技機の各装置の作動を制御することができる電子部品を搭載した基板5である主基板6が挙げられる。前記主基板6は、ＲＯＭ、ＲＡＭ、ＣＰＵ等を有している。前記主基板6は、遊技機内部の各種装置の作動（たとえば、スロットマシンでは、回転リールの回転及び停止、メダル払い出し装置の作動）などを制御し、また、当選の抽選も行う。また、スロットマシンでは、前記主基板6のみを備えるのではなく、この主基板6で制御する装置以外の作動を制御することができる基板5として副基板を備えることも可能である。
基板ベース部2は、前記基板5を収納する基板ケース1を構成する部材の一つであって、後述する基板ケースカバー部3と組み合わせることで基板ケース1を形成する。前記基板5は、前記基板ベース部2と前記基板ケースカバー部3との間に収納される。そして、前記基板ベース部2は遊技機の内部に固定される。前記基板ベース部2の固定箇所は、遊技機内部に配設される他の装置等との関係で、基板5の取り付けが行いやすく、かつ、効率的に遊技機内部の空間を利用できれば、特に限定されるものではない。スロットマシンであれば、たとえば、スロットマシンを構成する筐体61の背板62上部に固定することができるし、当該筐体61の側板上部に固定することもできる。また、前記基板ベース部2と前記基板ケースカバー部3との間に主基板6（基板5）が収納されていれば、前記主基板6（基板5）の固定位置については特に限定されるものではない。たとえば、前記主基板6（基板5）は、前記基板ベース部2に固定することができるし、前記基板ケースカバー部3に固定することもできる。また、前記基板ベース部2の材質についても、特に限定されるものではなく、金属板、木材板又は合成樹脂板等により形成することができる。
【０００９】
基板ケースカバー部3は、前記基板5を収納する基板ケース1を構成する部材の一つであって、上述の基板ベース部2と組み合わせることで基板ケース1を形成する。
ここで、基板ケースカバー部3を基板ベース部2に重ねた際に、基板ベース部2から見て基板ケースカバー部3が位置する方向を「正面」と定義する。また、前記正面と水平な方向を「横」又は「左右」と定義する。また、前記正面と鉛直な方向を「縦」又は「上下」と定義する。
前記基板ケースカバー部3の前記基板ベース部2への取付けの方法は、特に限定されるものではなく、基板ケースカバー部3を、基板ベース部2の横方向のいずれか一端部で、左右方向に回転して基板ベース部2に重なるように軸支させ、開閉自在に取り付けることができる。また、基板ケースカバー部3を、基板ベース部2の上下方向のいずれか一端部で、上下方向に回転して基板ベース部2に重なるように軸支させ、開閉自在に取り付けることもできる。また、上述のような軸支構造を用いずに、正面方向から基板ベース部2に基板ケースカバー部3を覆うようにして取り付けるようにすることもできる。また、基板ケースカバー部3の材質についても、特に限定されるものではなく、たとえば、合成樹脂板等により形成することができる。
【００１０】
設定変更部7とは、各種抽選確率の変更を行うための基板を備えた装置であり、基板ケース1内で、基板ベース部2に固定されている。また、設定変更部7には、設定変更用のキーを挿入するための鍵穴や、設定を切り替える設定変更ボタン等の設定変更操作部9が備えられている。
連通部32は、上述のような、設定変更部7の設定変更操作部9を、前記基板ケースカバー部3の手前側から操作可能とすべく、基板ケースカバー部3の正面から前記設定変更操作部9を突出、及び、露呈させるために設けられた貫通孔である。ここで、手前側とは、上述の「正面」と同義であり、すなわち、基板ケースカバー部3を基板ベース部2に重ねた際に、基板ベース部2から見て基板ケースカバー部3が位置する方向をいう。この連通部32は、前記基板ケースカバー部3の、前記設定変更部7の設定変更操作部9と対応する位置に設けられている。
【００１１】
連通部カバー部31は、前記連通部32を開閉自在となるように、基板ケースカバー部3に備えられている。この連通部カバー部31は、前記連通部32を塞ぐことができれば、特にその形状は限定されるものではなく、たとえば、当該連通部32側に開口した箱型形状として、当該連通部32を覆うように形成することができる。また、この連通部カバー部31は、連通部32を開閉できるのであれば、基板ケースカバー部3への取付け方法は特に限定されるものではなく、たとえば、前記連通部32の近傍で軸支し、回転して連通部32を覆うような構造として、連通部カバー部31を基板ケースカバー部3へ取り付けることができる。また、連通部カバー部31の材質についても、特に限定されるものではなく、たとえば、合成樹脂板等により形成することができる。
【００１２】
（作用）
本発明によれば、基板ベース部2は遊技機の内部に固定されており、さらに、この基板ベース部2に設定変更部7が備えられている。したがって、基板ケースカバー部3を基板ベース部2に脱着する際や、主基板6の交換、メンテナンスの作業を行う際にも、設定変更部7は基板ベース部2に備えたままとすることができ、基板ケース1内の種々の作業を効率的に行うことができる。また、設定変更部7の設定変更操作部9は、連通部32を介して、基板ケースカバー部3の正面側に露呈しているが、連通部カバー部31が連通部32を覆うことにより、この設定変更操作部9も閉塞され、設定変更を不能とするため、不正な設定変更を防止することができる。
【００１３】
（請求項２）
請求項２記載の発明は、上記請求項１記載の発明の特徴に加え、前記基板ケース1には、前記連通部カバー部31により塞がれるとともに、前記基板5と前記設定変更部7とを電気的に接続する接続媒体14が設けられたことを特徴とする。
接続媒体14は、前記基板5と前記設定変更部7とを電気的に接続できれば、特に限定されるものではなく、たとえばハーネスを使用することができる。また、フレキシブル基板8を使用することもできる。
（作用）
本発明によれば、前記基板5と前記設定変更部7とを接続する接続媒体14が、前記連通部カバー部31によって閉塞され、この接続媒体14に対する電気的接触を不能とするため、不正な電気的接触による設定変更を防止することができる。
【発明の効果】
【００１４】
本発明は、以上のように構成されているので、以下に記載されるような効果を奏する。
（請求項１）
すなわち、請求項１記載の発明によれば、針金等の挿入による不正な設定変更を防止し、かつ、設定変更部を取り外すことなく、主基板の交換等の基板ケース内作業を行うことができるような基板ケースを提供することができる。
（請求項２）
さらに、請求項２記載の発明によれば、上記した請求項１記載の発明の効果に加え、ハーネス等の接続媒体に対して電気的な接触を行うことで不正に設定変更がされることを防止できるような基板ケースを提供することができる。
【発明を実施するための最良の形態】
【００１５】
以下、本発明の実施の形態を図面を参照しつつ説明する。
（１）第１の実施の形態
（図面の説明）
図１は、基板ケース1の全体斜視図である。図２は、基板ケースカバー部3を基板ベース部2から外した状態の斜視図である。図３は、基板ベース部2に主基板6及び設定変更部7を固定した状態の斜視図である。図４は、移動体4の全体斜視図（ａ）、及び移動体4を開放した状態の斜視図（ｂ）である。図５は、移動体4と基板係合部21とを係合する前の状態の斜視図（ａ）、及び移動体4と基板係合部21とを係合した状態の斜視図（ｂ）である。図６は、フレキシブル基板8の全体上面図（ａ）、及び主基板6と設定変更部7とをフレキシブル基板8により接続した状態を示す斜視図（ｂ）である。図７は、基板ケース1をスロットマシンに固定した状態を示す斜視図である。
【００１６】
ここで、「正面」とは、基板ケースカバー部3を基板ベース部2に重ねた際に、基板ベース部2から見た時に基板ケースカバー部3が位置する方向をいうものとする。
（基板ケース1）
本発明の第１の実施の形態に係る基板ケース1は、正面側に開口する筐形の筐体61を備えたスロットマシンに内蔵される。この基板ケース1は、図２に示すように、筐体61に固定される板状の基板ベース部2と、この基板ベース部2の左端部で軸支され、かつ、左右方向に回転して当該基板ベース部2に重ねることができる基板ケースカバー部3とを備えている。ここで、この基板ケースカバー部3は基板ベース部2の左端部で軸支されているが、基板ベース部2の右端部で軸支されるようにしてもよい。
【００１７】
基板ケースカバー部3は、基板ベース部2側に開口する箱型形状となっており、基板ケースカバー部3が基板ベース部2に重なった際に、基板ケースカバー部3と基板ベース部2との間に、主基板6及び設定変更部7を収納できる空間が形成される。また、基板ベース部2を基板ケースカバー部3側に開口する箱型形状とするとともに、基板ケースカバー部3を板状とすることもできる。
主基板6は、スロットマシンにおいて、回転リールを備えたリールユニット（図示せず）や、メダルの払い出しを行うホッパーユニット（図示せず）等の遊技機の作動を制御することができる電子部品を搭載した基板である。また、設定変更部7は、遊技における各種当選役の抽選確率を変更するためのものであり、この設定変更部7の正面には、設定変更用のキーを挿入するための鍵穴や、設定を切り替える設定変更ボタン等の設定変更操作部9が備えられている（図３参照）。
【００１８】
前記主基板6は、基板ベース部2の、基板ケースカバー部3側の面の略中央にネジ等で固定されて、前記空間に収納される。また、前記設定変更部7は、前記主基板6の右側において、この主基板6と隣接するように、基板ベース部2にネジ等で固定されて、前記空間に収納される（図３参照）。また、主基板6及び設定変更部7は、基板ケースカバー部3の、基板ベース部2側の面に固定してもよい。
（基板ベース部2）
基板ベース部2の上面の右側方向には、基板ケースカバー部3側へ突出し、かつ、基板ベース部2に基板ケースカバー部3を重ねた際に基板ケースカバー部3と係合するための基板係合部21が備えられている（図２参照）。また、基板ケースカバー部3の、基板係合部21の対応位置には移動体4が移動可能に設けられている。また、この基板係合部21の上面の左辺には、コ字状の切欠き部22が形成されており、基板ベース部2に基板ケースカバー部3を重ねた際に、当該基板係合部21と基板ケースカバー部3に備えられる移動体4とが係合可能となっている。そして、基板係合部21と移動体4とが係合することにより、基板ベース部2と基板ケースカバー部3とが仮止めされる。
【００１９】
また、基板ベース部2の右端近傍には、基板ケースカバー部3を当該基板ベース部2に固定するとともに、封印具によって封印するためのベース固定封印部23が、上下方向に渡って設けられている（図２参照）。
基板ベース部2の略中央には、主基板6に生じた熱を放出する放熱孔24が設けられている（図２参照）。
また、基板ベース部2の左端近傍には、基板ケースカバー部3を軸支するためのヒンジ部（図示せず）が設けられている。また、基板ベース部2に基板ケースカバー部3を軸支する構造としては、他の周知、慣用技術を用いてもよい。
【００２０】
また、基板ベース部2の左右方向の両端には、ネジで当該基板ベース部2をスロットマシンの筐体61に固定するためのネジ止め孔25がそれぞれ設けられている（図２参照）。
（基板ケースカバー部3）
基板ケースカバー部3は、上述の如く、基板ベース部2側に開口する箱型形状となっており、正面部34、上面部35、底部36、左側部37及び右側部38から構成されている（図１及び図２参照）。
基板ケースカバー部3の上面部35の右側方向であって、当該基板ケースカバー部3を基板ベース部2に重ねた際の前記基板係合部21と対応する位置のやや下方に、前記移動体4の、左右方向への移動をガイドするための案内片33が備えられている（図５（ａ）参照）。この案内片33は、基板ケースカバー部3から正面方向へ向けて突出する板状部材であって、左右方向に伸びるように形成されている。また、この案内片33には、その上面から下面に至るまで貫通した移動体係止溝（図示せず）が左右方向に伸びるように形成されている。
【００２１】
また、基板ケースカバー部3の正面部34であって、当該基板ケースカバー部3を基板ベース部2に重ねた際の前記設定変更部7と対応する位置には、前記設定変更部7の正面に備えられた設定変更用のキーを挿入するための鍵穴や設定を切り替える設定変更ボタン等の設定変更操作部9を、当該基板ケースカバー部3の正面部34を貫通して突き出させるための連通部32を備えている（図５（ａ）参照）。これにより、設定変更部7を手前から操作可能としている。
また、基板ケースカバー部3の、前記基板ベース部2に設けられたベース固定封印部23と対応する位置には、基板ケース部2と同様に、ケース固定封印部26が設けられている（図１及び図５（ａ）参照）。
【００２２】
また、基板ケースカバー部3は、前記基板ベース部2の左端近傍に設けられたヒンジ部（図示せず）により、基板ベース部2に当該基板ケースカバー部3の左端近傍で軸支されている。
（連通部カバー部31）
前記基板ケースカバー部3の正面部34には、連通部32の左方で軸支され、かつ、左右方向に回転して当該連通部32を開閉自在な連通部カバー部31を備えている（図１及び図５（ａ）参照）。この連通部カバー部31は、連通部32側に開口する箱型形状をしており、この連通部カバー部31により連通部32を閉塞した際には、設定変更が不可能となる。また、この連通部カバー部31は、連通部32の開閉にともなって、基板ベース部2に備えられた基板係合部21、基板ケースカバー部3に備えられた案内片33、及び後述する移動体4も開閉されるようになっており、これらを閉塞した際には、前記移動体4と前記基板係合部21との係合、並びに、前記移動体4と前記基板係合部21との係合の解除が不可能となる。
【００２３】
（移動体4）
移動体4は、図４（ｂ）に示すように、長方形板状の基部41を備えている。また、この基部41の一方側には、係止凹部46が備えられているとともに、他方側には、外形が直方体状の係止部材42が立設するように備えられている（図４（ｂ）参照）。また、係止部材42の上端部には係止凹部46と係止するための係止凸部45が設けられている。そして、係止部材42を、この係止部材42と基部41との連結部でもって、係止凹部46側に折り曲げた際に、係止凸部45が係止凹部46に係止する。そして、係止凸部45が係止凹部46に係止した際には、係止部材42の下端面と、基部41の上端面との間に案内溝44が形成される（図４（ａ）参照）。この案内溝44は、上述の案内片33を通すことができる大きさとなっている。なお、係止部材42には、案内溝44と同方向へ向けて貫通する穴である係合溝43が設けられている（図４（ａ）参照）。
【００２４】
上述の如く、基板ケースカバー部3には、正面方向へ向けて突出する案内片33が備えられており、移動体4の案内溝44に案内片33が通され、この移動体4は、当該案内片33に従って基板ケースカバー部3を左右方向へ移動させることができる。
（基板ベース部2と基板ケースカバー部3との仮止め）
上述の如く、基板ベース部2の上面の右側には、移動体4と係合するための基板係合部21が備えられている。この基板係合部21は、基板ベース部2に基板ケースカバー部3を重ねた際には、この基板ケースカバー部3の上面部35のやや上方に位置し、基板ケースカバー部3の正面部34から正面方向に少々突出するように形成されている。
【００２５】
また、上述の如く、基板ケースカバー部3の右側であって、当該基板ケースカバー部3を基板ベース部2に重ねた際の前記基板係合部21と対応する位置のやや下方には、前記移動体4の、左右方向への移動をガイドするための案内片33が、基板ケースカバー部3から正面方向へ向けて突出するように形成されている。この案内片33は、その先端が基板係合部21の先端と略同じ位置となるように、基板ケースカバー部3の正面部34から正面方向に突出している。また、この案内片33には、その上面から下面に至るまで貫通した移動体係止溝（図示せず）が左右方向に伸びるように形成されている。
ここで、基板ベース部2と基板ケースカバー部3とを仮止めするためには、まず、移動体4を基板ケースカバー部3の案内片33に取り付ける。
【００２６】
上述の如く、移動体4の基部41には係止凹部46が設けられており、かつ、移動体4の係合部材42には係止凸部45が設けられている。そして、係止凸部45を係止凹部46に係止することができる。移動体4を案内片33に取り付ける際には、案内片33を上下方向から移動体4によって挟み込む。具体的には、係合部材42を折り曲げて、係合部材42と基部41とで案内片33を挟む。すると、係合部材42と基部41との間に形成される案内溝44に案内片33が通されることとなる。そして、案内片33に形成された移動体係止溝（図示せず）を介して、係止凸部45を係止凹部46に係止する。これにより、移動体4は基板ケースカバー部3の案内片33に取り付けられる（図４（ａ）及び図５（ａ）参照）。
【００２７】
そして、上述の如く、移動体4は、この案内片33に沿って基板ケースカバー部3を左右方向へ移動可能となっている。ここで、上述の如く、基板係合部21は、基板ベース部2に基板ケースカバー部3を重ねた際には、この基板ケースカバー部3の上面部35のやや上方に位置し、基板ケースカバー部3から正面方向に少々突出するように形成されている。そして、移動体4を右方向に移動させると、前記基板係合部21が、移動体4の係合部材42に設けられた係合溝43に係合する（図５（ｂ）参照）。具体的には、基板係合部21の上面の左辺にコ字状の切欠き部22が形成されており、この切欠き部22が移動体4に引っ掛かることで、基板係合部21が、移動体4の係合部材42に設けられた係合溝43に係合する。これにより、基板ケースカバー部3に係止された移動体4と、基板ベース部2の基板係合部21とが係合され、ひいては、基板ベース部2と基板ケースカバー部3とが仮止めされることとなる。
【００２８】
また、移動体4と基板係合部21とが係合された状態から、移動体4を左方向に移動させると、移動体4と基板係合部21との係合が解除されるため、基板ベース部2と基板ケースカバー部3との仮止めも解除されることとなる（図５（ａ）参照）。
（基板ケース1内の配線）
上述の如く、本実施の形態に係る基板ケース1内には主基板6及び設定変更部7が備えられており、この主基板6と設定変更部7とは、フレキシブル基板8で配線されることにより、電気的な接続がされている。
前記主基板6の右側には、設定変更部7と結線するためのフレキシブル基板8を挿入する接続ソケット12が設けられている。また、前記設定変更部7の左側にも、前記接続ソケット12が設けられている。前記フレキシブル基板8は、主基板6の接続ソケット12と、設定変更部7の接続ソケット12とを結線するのに十分な長さを有した板状であり、その両端に、細長形状の金属板からなる複数本の金属端子を具備した接続部13を備えている（図６（ａ）参照）。そして、この接続部13を、前記接続ソケット12に挿入することにより主基板6と設定変更部7とが結線されることとなる（図６（ｂ）参照）。
【００２９】
また、このフレキシブル基板8の表面は、合成樹脂によりコーティングされ、具体的記載は省略するが、当該フレキシブル基板8の製造業者名、当該フレキシブル基板8の品番等が記載されている。
なお、この主基板6と設定変更部7との配線は、ハーネス（図示せず）により行うこともできる。また、その他の周知、慣用技術を用いて行うこともできる。
（スロットマシンの筐体61への固定）
基板ケース1は、スロットマシンにおける筐体61の背板62内面の上部にネジで固定される（図７参照）。なお、スロットマシンへの固定手段は、接着剤による接着等の手段も利用することができる。また、その他の周知、慣用技術を用いて行うこともできる。
【００３０】
（基板ベース部2と基板ケースカバー部3との本止め）
主基板6の検査等、基板ケース1内での作業が終了した後は、基板ベース部2と基板ケースカバー部3とが本止めされる。この本止めは、基板ケースカバー部3を基板ベース部2に重ねた後、ケース固定封印部26及びベース固定封印部23を封印具により固定封印して行う。
（２）第２の実施の形態
本発明の第２の実施の形態は、基板ベース部2の構造、基板ケースカバー部3の構造及び移動体4の移動方向が、第１の実施の形態と相違し、他については第１の実施の形態と同一である。この相違点について具体的に説明する。
【００３１】
（図面の説明）
図８は、本実施の形態であって、基板ケースカバー部3を基板ベース部2から外した状態の斜視図である。図９は、本実施の形態であって、移動体4と基板係合部21とを係合する前の状態の正面図（ａ）、及び移動体4と基板係合部21とを係合した状態の正面図（ｂ）である。
（基板ベース部2）
基板ベース部2正面の右側には、正面方向へ突出し、かつ、基板ベース部2正面に垂直となるように立設された、板状の基板係合部21が形成されている（図８参照）。この基板係合部21の上部にはコ字状の切欠き部22が形成されており、基板ベース部2に基板ケースカバー部3を重ねた際に、当該基板係合部21と基板ケースカバー部3に備えられる移動体4とが係合可能となっている。
【００３２】
（基板ケースカバー部3）
基板ケースカバー部3正面の、基板ベース部2に基板ケースカバー部3を重ねた際の、前記基板係合部21と対応する位置には、当該基板係合部21を、当該基板ケースカバー部3正面から露呈させるための基板係合部突出孔（図示せず）が形成されている。
また、この基板係合部突出孔（図示せず）のやや左方には、前記移動体4の上下方向への移動をガイドするための案内片33が備えられている。この案内片33は、基板ケースカバー部3の正面部34から正面方向へ向けて突出する板状部材であって、上下方向に伸びるように形成されている。この案内片33には、その右面から左面に至るまで貫通した移動体係止溝（図示せず）が上下方向に伸びるように形成されている。
【００３３】
（基板ベース部2と基板ケースカバー部3との仮止め）
第１の実施の形態と同様に、移動体4を基板ケースカバー部3の案内片33に取り付ける。第１の実施の形態では、案内片33を上下方向から移動体4によって挟み込むことで、移動体4を案内片33に取り付けたが、本実施の形態では、案内片33が上下方向に伸びるように形成されているため、案内片33を左右方向から移動体4によって挟みこむことで、移動体4を案内片33に取り付ける。すなわち、移動体4の係合部材42を折り曲げて、この係合部材42と、移動体4の基部41とで案内片33を挟む。すると、係合部材42と基部41との間に形成される案内溝44に案内片33が通されることとなる。そして、案内片33に形成された移動体係止溝（図示せず）を介して、係止凸部45を係止凹部46に係止する。これにより、移動体4は基板ケースカバー部3の案内片33に取り付けられる（図９（ａ）参照）。
【００３４】
ここで、移動体4は、この案内片33に沿って基板ケースカバー部3の正面部34を上下方向へ移動可能となっている。上述のように、移動体4を基板ケースカバー部3の案内片33に取り付けた状態で、移動体4を下方向に移動させると、前記基板係合部21が、移動体4の係合部材42に設けられた係合溝43に係合する。これにより、基板ケースカバー部3に係止された移動体4と、基板ベース部2の基板係合部21とが係合され、ひいては、基板ベース部2と基板ケースカバー部3とが仮止めされることとなる（図９（ｂ）参照）。
また、移動体4と基板係合部21とが係合された状態から、移動体4を上方向に移動させると、移動体4と基板係合部21との係合が解除されるため、基板ベース部2と基板ケースカバー部3との仮止めも解除されることとなる（図９（ａ）参照）。
【図面の簡単な説明】
【００３５】
【図１】本発明の第１の実施の形態であって、基板ケースの全体斜視図である。
【図２】本発明の第１の実施の形態であって、基板ケースカバー部を基板ベース部から外した状態の斜視図である。
【図３】本発明の第１の実施の形態であって、基板ベース部に主基板及び設定変更部を固定した状態の斜視図である。
【図４】本発明の第１の実施の形態であって、移動体の全体斜視図（ａ）、及び移動体を開放した状態の斜視図（ｂ）である。
【図５】本発明の第１の実施の形態であって、移動体と基板係合部とを係合する前の状態の斜視図（ａ）、及び移動体と基板係合部とを係合した状態の斜視図（ｂ）である。
【図６】本発明の第１の実施の形態であって、フレキシブル基板の全体上面図（ａ）、及び主基板と設定変更部とをフレキシブル基板により接続した状態を示す斜視図（ｂ）である。
【図７】本発明の第１の実施の形態であって、基板ケースを筐体に固定した状態を示す斜視図である。
【図８】本発明の第２の実施の形態であって、基板ケースカバー部を基板ベース部から外した状態の斜視図である。
【図９】本実施の第２の実施の形態であって、移動体と基板係合部とを係合する前の状態の正面図（ａ）、及び移動体と基板係合部とを係合した状態の正面図（ｂ）である。
【符号の説明】
【００３６】
1  基板ケース            2  基板ベース部
3  基板ケースカバー部    4  移動体
5  基板                  6  主基板
7  設定変更部            8  フレキシブル基板
9  設定変更操作部
12  接続ソケット          13  接続部
21  基板係合部            22  切欠き部
23  ベース固定封印部      24  放熱孔
25  ネジ止め孔            26  ケース固定封印部
31  連通部カバー部        32  連通部
33  案内片                34  正面部
35  上面部                36  底部
37  左側部                38  右側部
41  基部                  42  係合部材
43  係合溝                44  案内溝
45  係止凸部              46  係止凹部
61  筐体                  62  背板
【図１】
2006095049.tif 000003
【図２】
2006095049.tif 000004
【図３】
2006095049.tif 000005
【図４】
2006095049.tif 000006
【図５】
2006095049.tif 000007
【図６】
2006095049.tif 000008
【図７】
2006095049.tif 000009
【図８】
2006095049.tif 000010
【図９】
2006095049.tif 000011